【手続補正書】
【提出日】平成25年12月25日(2013.12.25)
【手続補正１】
【補正対象書類名】明細書
【補正対象項目名】０００６
【補正方法】変更
【補正の内容】
【０００６】
上記目的を達成するため、請求項１に記載の発明は、
撮像手段と、
表示手段と、
前記撮像手段が設けられた第１筐体と、
当該第１筐体と回動可能に接続された部材と、
外部からの接続要求を検出する検出手段と、
前記第１筐体と前記部材との位置関係を判断する位置関係判断手段と、
前記検出手段により接続要求が検出され、前記位置関係判断手段により前記位置関係が第１の位置関係であると判断されると、前記撮像手段により撮像された画像のデータを外部に転送するよう制御する第１の制御手段と、
を備えた撮像装置であることを特徴とする。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
また、上記目的を達成するために、請求項２に記載の発明は、
前記位置関係判断手段は、前記第１筐体と前記部材とが一定の角度範囲を構成するように回動している関係を前記第１の位置関係として判断する一方で、前記第１筐体と前記部材との位置関係とが前記第１の位置関係と異なるような位置関係を第２の位置関係と判断する、
ことを特徴とする。
【手続補正４】
【補正対象書類名】明細書
【補正対象項目名】０００９
【補正方法】変更
【補正の内容】
【０００９】
また、上記目的を達成するために、請求項３に記載の発明は、
前記表示手段が設けられ、前記第１筐体と回動可能に接続された第２筐体を更に備え、
前記位置関係判断手段は、前記第１筐体と前記部材とが一定の角度範囲を構成するように回動し、かつ、前記第１筐体の前記撮像手段の撮像側の面と前記第２筐体の前記表示手段の表示側の面とが略同一の方向を向いている関係を、前記第１の位置関係として判断する、
ことを特徴とする。
【手続補正５】
【補正対象書類名】明細書
【補正対象項目名】００１０
【補正方法】変更
【補正の内容】
【００１０】
また、上記目的を達成するために、請求項４に記載の発明は、
前記位置関係判断手段により第２の位置関係であると判断されると、前記表示手段に画像を表示させるよう制御する第２の制御手段を更に備えた
ことを特徴とする。
また、上記目的を達成するために、請求項５に記載の発明は、
前記第２の制御手段は、前記位置関係判断手段により前記第２の位置関係であると判断され、前記検出手段により接続要求が検出されると、更に、前記外部からの電力の供給を受け付けるよう制御する、
ことを特徴とする。
また、上記目的を達成するために、請求項６に記載の発明は、
前記部材は、前記位置関係判断手段による位置関係の判断の際に、本撮像装置の足場と
して使用される、
ことを特徴とする。
【手続補正６】
【補正対象書類名】明細書
【補正対象項目名】００１１
【補正方法】変更
【補正の内容】
【００１１】
また、上記目的を達成するために、請求項７に記載の発明は、
撮像手段及び表示手段を備え、前記撮像手段が設けられた筐体と、当該筐体と回動可能に接続された部材とを有する撮像装置が実行する撮像制御方法において、
外部からの接続要求を検出する検出ステップと、
前記筐体と前記部材との位置関係を判断する位置関係判断ステップと、
前記検出ステップの処理により接続要求が検出され、前記位置関係判断ステップの処理により前記位置関係が第１の位置関係であると判断された場合、前記撮像手段により撮像されている画像のデータを外部に転送するよう制御する制御ステップと、
を含む撮像制御方法であることを特徴とする。
【手続補正７】
【補正対象書類名】明細書
【補正対象項目名】００１２
【補正方法】変更
【補正の内容】
【００１２】
また、上記目的を達成するために、請求項８に記載の発明は、
撮像手段及び画像を表示手段を備え、前記撮像手段が設けられた筐体と、当該筐体と回動可能に接続された部材とを有する撮像装置を制御するコンピュータを、
外部からの接続要求を検出する検出手段、
前記筐体と前記部材との位置関係を判断する位置関係判断手段、
前記検出手段により接続要求が検出され、前記位置関係判断手段により前記位置関係が第１の位置関係であると判断された場合、前記撮像手段により撮像されている画像のデータを外部に転送するよう制御する制御手段、
として機能させるプログラムであることを特徴とする。
【手続補正８】
【補正対象書類名】特許請求の範囲
【補正対象項目名】全文
【補正方法】変更
【補正の内容】
【特許請求の範囲】
【請求項１】
撮像手段と、
表示手段と、
前記撮像手段が設けられた第１筐体と、
当該第１筐体と回動可能に接続された部材と、
外部からの接続要求を検出する検出手段と、
前記第１筐体と前記部材との位置関係を判断する位置関係判断手段と、
前記検出手段により接続要求が検出され、前記位置関係判断手段により前記位置関係が第１の位置関係であると判断されると、前記撮像手段により撮像された画像のデータを外部に転送するよう制御する第１の制御手段と、
を備えたことを特徴とする撮像装置。
【請求項２】
前記位置関係判断手段は、前記第１筐体と前記部材とが一定の角度範囲を構成するように回動している関係を前記第１の位置関係として判断する一方で、前記第１筐体と前記部材との位置関係とが前記第１の位置関係と異なるような位置関係を第２の位置関係と判断する、
ことを特徴とする請求項１に記載の撮像装置。
【請求項３】
前記表示手段が設けられ、前記第１筐体と回動可能に接続された第２筐体を更に備え、
前記位置関係判断手段は、前記第１筐体と前記部材とが一定の角度範囲を構成するように回動し、かつ、前記第１筐体の前記撮像手段の撮像側の面と前記第２筐体の前記表示手段の表示側の面とが略同一の方向を向いている関係を、前記第１の位置関係として判断する、
ことを特徴とする請求項２に記載の撮像装置。
【請求項４】
前記位置関係判断手段により第２の位置関係であると判断されると、前記表示手段に画像を表示させるよう制御する第２の制御手段を更に備えたことを特徴とする請求項１乃至３のいずれか１項に記載の撮像装置。
【請求項５】
前記第２の制御手段は、前記位置関係判断手段により前記第２の位置関係であると判断され、前記検出手段により接続要求が検出されると、更に、前記外部からの電力の供給を受け付けるよう制御する、
ことを特徴とする請求項４に記載の撮像装置。
【請求項６】
前記部材は、前記位置関係判断手段による位置関係の判断の際に、本撮像装置の足場として使用される、
ことを特徴とする請求項１乃至５のいずれか１項に記載の撮像装置。
【請求項７】
撮像手段及び表示手段を備え、前記撮像手段が設けられた筐体と、当該筐体と回動可能に接続された部材とを有する撮像装置が実行する撮像制御方法において、
外部からの接続要求を検出する検出ステップと、
前記筐体と前記部材との位置関係を判断する位置関係判断ステップと、
前記検出ステップの処理により接続要求が検出され、前記位置関係判断ステップの処理により前記位置関係が第１の位置関係であると判断された場合、前記撮像手段により撮像されている画像のデータを外部に転送するよう制御する制御ステップと、
を含むことを特徴とする撮像制御方法。
【請求項８】
撮像手段及び画像を表示手段を備え、前記撮像手段が設けられた筐体と、当該筐体と回動可能に接続された部材とを有する撮像装置を制御するコンピュータを、
外部からの接続要求を検出する検出手段、
前記筐体と前記部材との位置関係を判断する位置関係判断手段、
前記検出手段により接続要求が検出され、前記位置関係判断手段により前記位置関係が第１の位置関係であると判断された場合、前記撮像手段により撮像されている画像のデータを外部に転送するよう制御する制御手段、
として機能させることを特徴とするプログラム。